(57)【要約】【課題】遊技者の熟練度に適した内容の遊技情報を表示することにより、上級遊技者及び初級遊技者の双方に対して十分な満足感を与えられるようにする。【解決手段】遊技情報表示装置３は、一の画面で表示する遊技情報の種類が二以上である上級遊技者向けの表示モードである「くわしい表示モード」と、一の画面で表示する遊技情報の種類が「くわしい表示モード」よりも少ない初級遊技者向けの表示モードである「かんたん表示モード」とのうち何れかを選択可能に表示する。「くわしい表示モード」では上級遊技者が満足し得る難解な遊技情報を表示でき、「かんたん表示モード」では初級遊技者でも理解し得る平易な遊技情報を表示できる。【選択図】図１
2013034571.tif 000002
【特許請求の範囲】
【請求項１】
遊技において所定の大当たり条件が成立したときに大当たり状態を発生可能な遊技機に付設され、遊技に関する複数種類の遊技情報を遊技者に対して表示可能な遊技情報表示装置において、
前記複数種類の遊技情報を表示可能な表示手段と、
前記遊技情報を表示する表示モードとして、一の画面で表示する遊技情報の種類が二以上である第１表示モードと、一の画面で表示する遊技情報の種類が第１表示モードよりも少ない第２表示モードとを設定する表示モード設定手段と、
前記第１表示モード及び前記第２表示モードのそれぞれに対応する遊技情報の種類を記憶する遊技情報記憶手段と、
前記表示モード設定手段により設定された第１表示モード及び第２表示モードのうち何れか一方を選択する表示モード選択手段と、
前記表示モード選択手段により選択された表示モードに対応する遊技情報の種類を前記遊技情報記憶手段から読出して表示する表示制御手段と、を備えたことを特徴とする遊技情報表示装置。
【請求項２】
遊技者が任意に操作可能な表示モード切換操作手段を備え、
前記表示モード選択手段は、前記表示モード切換操作手段の操作に応じて前記第１表示モード及び前記第２表示モードのうち何れか一方を選択することを特徴とする請求項１に記載した遊技情報表示装置。
【請求項３】
前記表示制御手段は、前記第１表示モード及び前記第２表示モードのそれぞれにおいて、前記遊技情報記憶手段から読出した複数種類の遊技情報を二以上の画面に順次切換えて表示すると共に、当該遊技情報の表示を開始する前に、現在選択されている表示モードが前記第１表示モードであるか前記第２表示モードであるかを表示することを特徴とする請求項１又は２に記載した遊技情報表示装置。
【発明の詳細な説明】
【技術分野】
【０００１】
本発明は、遊技において所定の大当たり条件が成立したときに大当たり状態を発生可能な遊技機に付設され、遊技に関する複数種類の遊技情報を遊技者に対して表示可能な遊技情報表示装置に関する。
【背景技術】
【０００２】
従来の遊技店においては、例えば特許文献１に記載されているように、各遊技機（パチンコ台、スロットマシン等）に遊技情報表示装置を付設し、各種の遊技情報を遊技者に対して表示するのが一般的である。
【先行技術文献】
【特許文献】
【０００３】
【特許文献１】特開平１０−１６５５９６号公報
【発明の概要】
【発明が解決しようとする課題】
【０００４】
ところで、遊技情報の種類には様々なものがあり、遊技に熟練している上級遊技者にとっては参考になる遊技情報がある一方で、遊技に熟練していない初級遊技者にとってはどのようなことを意味しているのかが全く分からない難解な遊技情報も含まれているのが通常である。そのような上級遊技者向けの難解な遊技情報を初級遊技者に対して表示しても意味が無く、又、逆に初級遊技者向けの平易な遊技情報を表示するのみでは上級遊技者が不満を感じてしまうという問題がある。
【０００５】
本発明は、上記した事情に鑑みてなされたものであり、その目的は、遊技者の熟練度に適した内容の遊技情報を表示することにより、上級遊技者及び初級遊技者の双方に対して十分な満足感を与えることができる遊技情報表示装置を提供することにある。
【課題を解決するための手段】
【０００６】
請求項１に記載した発明は、遊技において所定の大当たり条件が成立したときに大当たり状態を発生可能な遊技機に付設され、遊技に関する複数種類の遊技情報を遊技者に対して表示可能な遊技情報表示装置において、前記複数種類の遊技情報を表示可能な表示手段と、前記遊技情報を表示する表示モードとして、一の画面で表示する遊技情報の種類が二以上である第１表示モードと、一の画面で表示する遊技情報の種類が第１表示モードよりも少ない第２表示モードとを設定する表示モード設定手段と、前記第１表示モード及び前記第２表示モードのそれぞれに対応する遊技情報の種類を記憶する遊技情報記憶手段と、前記表示モード設定手段により設定された第１表示モード及び第２表示モードのうち何れか一方を選択する表示モード選択手段と、前記表示モード選択手段により選択された表示モードに対応する遊技情報の種類を前記遊技情報記憶手段から読出して表示する表示制御手段と、を備えたことを特徴とする。
【０００７】
請求項２に記載した発明は、遊技者が任意に操作可能な表示モード切換操作手段を備え、前記表示モード選択手段は、前記表示モード切換操作手段の操作に応じて前記第１表示モード及び前記第２表示モードのうち何れか一方を選択することを特徴とする。
【０００８】
請求項３に記載した発明は、前記表示制御手段は、前記第１表示モード及び前記第２表示モードのそれぞれにおいて、前記遊技情報記憶手段から読出した複数種類の遊技情報を二以上の画面に順次切換えて表示すると共に、当該遊技情報の表示を開始する前に、現在選択されている表示モードが前記第１表示モードであるか前記第２表示モードであるかを表示することを特徴とする。
【発明の効果】
【０００９】
請求項１に記載した発明によれば、遊技情報を表示する表示モードとして、一の画面で表示する遊技情報の種類が二以上である第１表示モード（上級遊技者向けの表示モード）と、一の画面で表示する遊技情報の種類が第１表示モードよりも少ない第２表示モード（初級遊技者向けの表示モード）とを有し、何れか一方の表示モードを選択するようにしたので、第１表示モードでは上級遊技者が満足し得る難解な遊技情報を表示することができ、第２表示モードでは初級遊技者でも理解し得る平易な遊技情報を表示することができ、上級遊技者及び初級遊技者の双方に適した内容の遊技情報を表示することができる。
【００１０】
請求項２に記載した発明によれば、遊技者が表示モード切換操作手段を操作することに応じて第１表示モード及び第２表示モードのうち何れか一方を選択するようにしたので、遊技者自身が自分の熟練度に応じて上級遊技者向けの難解な遊技情報と初級遊技者向けの平易な遊技情報とを容易に切換表示することができる。
【００１１】
請求項３に記載した発明によれば、複数種類の遊技情報を二以上の画面に順次切換えて表示するときに、その切換表示を開始する前のタイミングで現在の表示モードが第１表示モードであるのか第２表示モードであるのかを表示するようにしたので、現在の表示モードが遊技者自身の熟練度に適していない場合には表示モードを速やかに切換えるように促すことができる。
【図面の簡単な説明】
【００１２】
【図１】本発明の一実施形態を示すもので、遊技場システムの全体構成図
【図２】遊技情報表示装置の正面図
【図３】遊技情報表示装置の機能ブロック図
【図４】データ表示部を示す図
【図５】かんたん表示モードにおける表示画面のローテーションを示す図
【図６】表示画面を示す図
【図７】図６相当図
【図８】図６相当図
【図９】図６相当図
【発明を実施するための形態】
【００１３】
以下、本発明の一実施形態について、図面を参照して説明する。図１は、遊技情報表示装置を含む遊技場システムの全体構成を概略的に示している。遊技場には遊技機１に対応して貸出装置２及び遊技情報表示装置３が設置されており、遊技情報表示装置３はＬＡＮ４を介して管理装置５に接続されている。遊技情報表示装置３は、遊技機１の上方に設置されている。管理装置５は、遊技場内の例えば管理室に設置されている。又、ＬＡＮ４には島端計数機（図示せず）やＰＯＳ端末（図示せず）等も接続されている。図１では省略しているが、数１００台の遊技機１が管理装置５の管理対象となる。本実施形態では上記したように遊技機１としてパチンコ台を想定しており、遊技媒体（遊技価値）としてパチンコ玉を想定している。
【００１４】
遊技機１は、発射装置を構成する操作ハンドル６を有すると共に、盤面７に、普図入賞口８、第１始動口９、第２始動口１０、液晶表示部１１、大入賞口１２等を有する。遊技機１では、操作ハンドル６が操作されたことにより盤面７に発射された玉が第１始動口９又は第２始動口１０に入賞（始動入賞）することに応じて大当たり抽選を行い、抽選結果に基づいて所謂特別図柄（特図）による図柄変動を液晶表示部１１にて実行し、その結果に応じて大当たり条件が成立したときに大当たり状態を発生させる。大当たり状態では、予め定められたラウンド回数だけ大入賞口１２を繰返して開放し、入賞率を通常状態よりも大幅に高める。ラウンド回数は、例えば２ラウンド、７ラウンド、１５ラウンドの３種類があり、抽選で何れかに振分ける。大当たり状態が終了した後は、次の大当たり条件が成立する確率を高めた高確率状態を所定の確率で発生する。例えば大当たり状態が終了した後は５０％の確率で通常状態へ移行し、５０％の確率で高確率状態へ移行する。大当たり状態と高確率状態とを繰返す状態を特に連チャン状態という。
【００１５】
貸出装置２は、遊技者が貨幣を投入するための貨幣投入口１３、各種の遊技情報等を表示する表示機能及び遊技者からの操作入力を受付ける入力受付機能を有するタッチパネル式の液晶表示部１４、遊技者が会員カードを挿入するためのカード挿入口１５、遊技者がカード挿入口１５に挿入されている会員カードを排出させるために操作する排出釦１６等を有する。又、遊技機１の上部玉受皿１７よりやや上方の位置に玉払出口１８が設けられ、玉払出口１８を覆うように払出ノズル１９が設けられており、玉払出口１８から払出された玉は払出ノズル１９を経由して上部玉受皿１７へ供給される。
【００１６】
遊技機１及び貸出装置２からは以下の遊技信号が出力される。
「アウト信号」：使用玉を回収するアウトＢＯＸから出力される信号であり、使用玉数であるアウトを特定可能な信号である。回収（使用、打込）玉１０玉に対して１パルスが出力されるので、「アウト信号数×１０」をアウトとして特定する。尚、遊技機１から出力される信号であっても良い。
「セーフ信号」：遊技機１から出力される信号であり、払出玉数であるセーフを特定可能な信号である。遊技機１での遊技（入賞）に応じた払出玉１０玉に対して１パルスが出力されるので、「セーフ信号数×１０」をセーフとして特定する。尚、補給装置から出力される補給信号をセーフ信号としても良い。
【００１７】
「スタート信号」：遊技機１から出力される信号であり、第１始動口９又は第２始動口１０への入賞に応じて液晶表示部１１における表示役物が作動したことを特定可能な信号である。第１始動口９又は第２始動口１０への入賞１回につき１パルスが出力されるので、「スタート信号数×１」をスタートとして特定する。
「大当たり信号」：遊技機１から出力される信号であり、大当たり状態の発生を特定可能な信号である。大当たり状態中にレベル出力される状態信号なので、大当たり信号受信中を大当たり状態中として特定する。
【００１８】
「確率変動信号」：遊技機１から出力される信号であり、大当たりの高確率状態の発生を特定可能な信号である。大当たりの高確率状態中にレベル出力される状態信号なので、確率変動信号受信中を大当たりの高確率状態中として特定する。
「売上信号」：貸出装置２から出力される信号であり、売上情報（売上玉数、売上額）を特定可能な信号である。遊技者に対する貸出玉２５玉毎に１パルスが出力されるので、売上信号数×２５を売上玉数として特定し、売上玉数×貸出単価を売上額として特定する。
【００１９】
管理装置５は、制御部、遊技信号を送受信する送受信部、遊技情報を出力するモニタやプリンタ等からなる出力部、遊技場の管理者からの設定情報の入力を受付けるキーボードやマウス等からなる操作部等を有する。制御部は、ＣＰＵ、ＲＯＭ、ＲＡＭ、Ｉ／Ｏ等を有し、制御プログラムにしたがって送受信部を介して遊技情報表示装置３との間で遊技信号を送受信したり、遊技機１及び貸出装置２から遊技情報表示装置３を介して受信した遊技信号に基づいて遊技情報（スタート回数、大当たり回数等）を集計したりする機能を有する。
【００２０】
遊技情報表示装置３は、図２に示すように、筐体２０の正面上部に設けられたランプ部２１ａ、筐体２０の左右側部に設けられたランプ部２１ｂ、２１ｃ、液晶表示器からなるデータ表示部２２（表示手段に相当）、遊技者が操作可能なデータ切換ボタン２３、呼出ボタン２４、モード切換ボタン２５（表示モード切換操作手段に相当）等を有する。
【００２１】
図３は、上記した遊技情報表示装置３の電気的な構成を示している。遊技情報表示装置３は、制御部２６（表示モード設定手段、遊技情報記憶手段、表示モード選択手段、表示制御手段に相当）、信号入力部２７、送受信部２８等を有する。制御部２６は、ＣＰＵ２６ａ、ＲＯＭ２６ｂ、ＲＡＭ２６ｃ、Ｉ／Ｏ２６ｄを有し、制御プログラムにしたがってランプ部２１ａ〜２１ｃの点灯・点滅動作や、遊技情報のデータ表示部２２における表示動作や、遊技信号の送受信動作（中継動作）等を制御する。信号入力部２７は、遊技機１及び貸出装置２から出力された遊技信号を入力する。送受信部２８は、管理装置５との間で遊技信号を送受信する。
【００２２】
遊技情報表示装置３は、遊技情報をデータ表示部２２に表示する表示モード（表示態様）として「かんたん表示モード（第２表示モードに相当）」と「くわしい表示モード（第１表示モードに相当）」とを択一的に切換えて選択し、その選択している表示モードに対応する遊技情報をデータ表示部２２に表示する機能を有する。データ表示部２２は、図４に示すように、遊技者から見て左側の表示領域に固定表示領域としての第１データ表示部２９、第２データ表示部３０、第３データ表示部３１、アイコンエリア３２を有し、遊技者から見て右側の表示領域に切換表示領域としてのドット部３３を有する。
【００２３】
「かんたん表示モード」ではドット部３３の全体で１つの遊技情報（遊技データ）（当日の遊技情報のみ）を見易く大きく表示する一方、「くわしい表示モード」ではドット部３３の全体で複数の遊技情報（３日間（当日、１日前、２日前）の遊技情報）を表示する。尚、図４では、第１データ表示部２９に大当たり回数（図４では「３６」）及び初当たり回数（全ての大当たり回数から確変中の大当たり回数を差引いた回数）（図４では「８」）が表示され、第２データ表示部２９にスタート回数（図４では「２３４」）が表示され、第３データ表示部３１に１日前の大当たり回数（図４では「２３」）及び初当たり回数（図４では「１０」）と２日前の大当たり回数（図４では「１８」）及び初当たり回数（図４では「５」）が表示されている場合を例示している。又、アイコンエリア３２には、現在選択している表示モードが「かんたん表示モード」及び「くわしい表示モード」の何れであるかを告知する表示モード告知アイコン３２ａが表示される。図４は、現在選択している表示モードが「かんたん表示モード」であり、「かんたん表示モード」の表示モード告知アイコン３２ａが表示されている場合を例示しているが、現在選択している表示モードが「くわしい表示モード」であれば、「くわしい表示モード」の表示モード告知アイコン３２ａが表示される。
【００２４】
遊技情報表示装置３は、遊技者がモード切換ボタン２５を操作することに応じて、「かんたん表示モード」と「くわしい表示モード」とを切換え、遊技者がデータ切換ボタン２３を操作することに応じて、その時点で選択している表示モードの表示画面を順次表示（ローテーション表示）する。
【００２５】
ここで、「かんたん表示モード」における表示画面のローテーション表示について図５乃至図８を参照して説明する。遊技情報表示装置３は、「かんたん表示モード」の表示画面で表示する遊技情報を記憶する記憶領域を有し、「かんたん表示モード」を選択しているときには、表示画面を所定のローテーション順序にしたがって切換えることに追従し、その予め記憶している遊技情報を記憶領域から読出して表示する。
【００２６】
具体的に説明すると、遊技情報表示装置３は、「かんたん表示モード」のローテーション表示では、図５に示すように、かんたん表示開始告知画面４１（図６（ａ）参照）を２秒間だけ表示した後に、優秀台大当たり回数表示画面４２（図６（ｂ）参照）を表示し、その後、遊技者がデータ切換ボタン２３を操作することに応じて、持玉表示画面４３（図６（ｃ）参照）、データ表示画面４４としての大当たり内訳表示画面４５（図７（ａ）参照）、総スタート回数表示画面４６（図７（ｂ）参照）、過去最高大当たり回数表示画面４７（図７（ｃ）参照）、インフォメーション表示画面４８としてのテロップインフォメーション表示画面４９（図８（ａ）参照）、一括表示インフォメーション表示画面５０（図８（ｂ）参照）、機種画像表示画面５１（図８（ｃ）参照）、かんたん表示選択中告知画面５２（図８（ｄ）参照）を順次切換えて表示する。そして、遊技情報表示装置３は、かんたん表示選択中告知画面５２を２秒間だけ表示した後に、優秀台大当たり回数表示画面４２を再表示し、その後、遊技者がデータ切換ボタン２３を操作することに応じて、上記したローテーション順序を繰返す。
【００２７】
かんたん表示開始告知画面４１では、「かんたん表示モード」を開始することを示す告知情報がデータ表示部２２のドット部３３の全体に表示される。優秀台大当たり回数表示画面４２では、当日（本日）の大当たり回数が予め設定された回数以上となったときに、その当日の大当たり回数がデータ表示部２２のドット部３３の全体に表示される。持玉表示画面４３では、遊技機１に各台計数機が接続されている場合に限って、その各台計数機にて計数された玉の数が持玉数としてデータ表示部２２のドット部３３の全体に表示される。
【００２８】
大当たり内訳表示画面４５では、大当たりの内訳（超当たり、中当たり、２Ｒ）がデータ表示部２２のドット部３３の全体に表示される。超当たりは１５ラウンドの大当たり、中当たりは７ラウンドの大当たり、２Ｒは２ラウンドの大当たりを示している。総スタート回数表示画面４６では、当日（本日）の総スタート回数がデータ表示部２２のドット部３３の全体に表示される。過去最高大当たり回数表示画面４７では、過去最高の大当たり回数がデータ表示部２２のドット部３３の全体に表示される。
【００２９】
テロップインフォメーション表示画面では、テロップがデータ表示部２２のドット部３３の全体に表示される。一括表示インフォメーション表示画面５０では、イベント案内等がデータ表示部２２のドット部３３の全体に表示される。機種画像表示画面５１では、遊技機１の種類を示す機種画像がデータ表示部２２のドット部３３の全体に表示される。かんたん表示選択中告知画面５２では、「かんたん表示モード」が選択されていることを示す告知情報がデータ表示部２２のドット部３３の全体に表示される。
【００３０】
尚、以上は、データ表示画面４４として大当たり内訳表示画面４５、総スタート回数表示画面４６、過去最高大当たり回数表示画面４７を例示したが、例えば１回の連チャン状態で発生した大当たり回数の平均を示す平均継続回数を表示する平均継続回数表示画面、
過去において１回の連チャン状態で発生した大当たり回数の最高を示す過去最高継続回数を表示する過去最高継続回数表示画面、最高獲得玉数を表示する最高獲得玉数表示画面、過去の最高獲得玉数を表示する過去最高獲得玉数表示画面、最高出玉数を表示する最高出玉数表示画面、過去の最高出玉数を表示する過去最高出玉数表示画等の遊技者にとって有益となり得る遊技情報を表示するようにしても良い。
【００３１】
同様にして、遊技情報表示装置３は、「くわしい表示モード」の表示画面で表示する遊技情報を記憶する記憶領域を有し、「くわしい表示モード」を選択しているときには、表示画面を所定のローテーション順序にしたがって切換えることに追従し、その予め記憶している遊技情報を記憶領域から読出して表示する。「くわしい表示モード」の表示画面としては、図９に示すように、大当たり内訳表示画面６１（図９（ａ）参照）、総スタート回数表示画面６２（図９（ｂ）参照）、過去最高大当たり回数表示画面６３（図９（ｃ）参照）、過去最高継続回数表示画面６４（図９（ｄ）参照）等がある。
【００３２】
大当たり内訳表示画面６１では、当日を含めて３日分の大当たりの内訳、当日と１日前の横軸を打込玉数とすると共に縦軸を差玉数として出玉の推移を示す出玉推移グラフ、各大当たり間のスタート回数を示す大当たり間スタート回数グラフがデータ表示部２２のドット部３３に表示される。総スタート回数表示画面６２では、当日を含めて３日分の総スタート回数、出玉推移グラフ、大当たり間スタート回数グラフがデータ表示部２２のドット部３３の全体に表示される。過去最高大当たり回数表示画面６３では、過去最高の大当たり回数、出玉推移グラフ、大当たり間スタート回数グラフがデータ表示部２２のドット部３３の全体に表示される。過去最高継続回数表示画面６４では、過去最高の継続回数、出玉推移グラフ、大当たり間スタート回数グラフがデータ表示部２２のドット部３３の全体に表示される。このように、「くわしい表示モード」を選択しているときに切換表示領域であるドット部３３に表示される遊技情報は、「かんたん表示モード」を選択しているときに切換表示領域であるドット部３３に表示される遊技情報よりも、その情報量が多く且つ詳細な情報である。
【００３３】
又、「かんたん表示モード」と「くわしい表示モード」との双方に対応する表示画面を表示することに加え、「かんたん表示モード」のみに対応する表示画面を表示したり、「くわしい表示モード」のみに対応する表示画面を表示したりするようにしても良い。例えば当日の最高出玉数を表示する当日最高出玉数表示画面は「かんたん表示モード」のみで表示する表示画面であり、当日の最高出玉数と過去の最高出玉数とを比較可能に一緒に表示する最高出玉数表示画面は「くわしい表示モード」のみで表示する表示画面である。
【００３４】
又、遊技情報表示装置３は、「かんたん表示モード」を初期設定としており、電源投入直後（開店直後）では、「かんたん表示モード」のかんたん表示開始告知画面４１を表示し、上記したローテーション表示を行う。又、遊技情報表示装置３は、例えば遊技機１からのアウト信号やセーフ信号を入力しない時間が所定時間に達したことで遊技機１が稼働中から非稼動中へ移行したと判定したときには、「かんたん表示モード」を設定していればそのまま「かんたん表示モード」を継続し、「くわしい表示モード」を設定していれば「かんたん表示モード」へ切換える。
【００３５】
以上に説明したように本実施形態によれば、遊技情報表示装置３において、一の画面で表示する遊技情報の種類が二以上である上級遊技者向けの表示モードである「くわしい表示モード」と、一の画面で表示する遊技情報の種類が「くわしい表示モード」よりも少ない初級遊技者向けの表示モードである「かんたん表示モード」とのうち何れかを選択可能に表示するようにしたので、「くわしい表示モード」では上級遊技者が満足し得る難解な遊技情報を表示することができ、「かんたん表示モード」では初級遊技者でも理解し得る平易な遊技情報を表示することができ、上級遊技者及び初級遊技者の双方に適した内容の遊技情報を表示することができる。
【００３６】
又、遊技者がモード切換ボタン２５を操作することに応じて「かんたん表示モード」と「くわしい表示モード」とを切換えるようにしたので、遊技者自身が自分の熟練度に応じて上級遊技者向けの難解な遊技情報と初級遊技者向けの平易な遊技情報とを容易に切換表示することができる。
【００３７】
又、現在選択している表示モードが「かんたん表示モード」及び「くわしい表示モード」の何れであるかを示す表示モード告知アイコン３２ａを表示するようにしたので、現在の表示モードが遊技者自身の熟練度に適しているか否かを遊技者に対して速やかに告知することができ、現在の表示モードが遊技者自身の熟練度に適していなければ、表示モードを速やかに切換えるように促すことができる。
【００３８】
本発明は、上記した実施形態にのみ限定されるものではなく、以下のように変形又は拡張することができる。
データ表示部２２にて表示する遊技情報の種類は本実施形態に例示した遊技情報に限定されず、様々な種類の遊技情報を採用することができる。
遊技情報表示装置３に管理装置５との間で遊技信号を送受信する機能を付加したが、そのような機能は無くても良く、遊技情報表示装置３が単独で動作するようにしても良い。
遊技機１としてパチンコ台を例示したが、スロットマシンでも良い。又、遊技媒体を用いない点数による遊技を可能とする所謂封入式の遊技機やクレジット式の遊技機を対象としても良い。
遊技情報表示装置３を遊技機１の上方に設置したが、遊技機１の側方に設置しても良い。又、従業員を呼出す機能は無くても良い。
【符号の説明】
【００３９】
図面中、１は遊技機、３は遊技情報表示装置、２２はデータ表示部（表示手段）、２６は制御部（表示モード設定手段、遊技情報記憶手段、表示モード選択手段、表示制御手段）である。
【図１】
2013034571.tif 000003
【図２】
2013034571.tif 000004
【図３】
2013034571.tif 000005
【図４】
2013034571.tif 000006
【図５】
2013034571.tif 000007
【図６】
2013034571.tif 000008
【図７】
2013034571.tif 000009
【図８】
2013034571.tif 000010
【図９】
2013034571.tif 000011